(57)【要約】【課題】  モータのステータやクラッチ機構のソレノイドに用いられており温度上昇の虞のある巻線を、既存のモータの構造を利用して冷却させることができる脱水洗濯機を提供する。【解決手段】  駆動ユニット２３Ａに用いられているＤＤインバータモータ２７のコア２８ａのような駆動用電気モータの既存の回転子側成形品には、通気孔５６が形成されているとともに羽根５７が設けられている。駆動ユニット２３Ａの駆動に伴って羽根５７と通気孔５６とが冷却ファンの働きをし、脱水槽に温風が吹き出される乾燥機能作動時に特に生じる可能性があるモータ２７のステータ巻線やクラッチ機構２６の電磁ソレノイド２６ａが、通気孔５６の外側から空気を吸い込んで送風する空気流れによって、空冷される。羽根５７は、回転子側成形品の補強リブを兼ねるので、回転子側成形品の強度を向上させることができる。【選択図】        図２
2007105233.tif 000002
【特許請求の範囲】
【請求項１】
外箱と、前記外箱に支持され且つ内部に収容した洗濯物を洗濯水、すすぎ水とともに攪拌するパルセータが回転可能に設けられた水槽と、当該水槽内に収容されており前記洗濯物の脱水を行う脱水槽と、前記水槽の下方に配設されている駆動ユニットとを備えており、前記駆動ユニットは、前記脱水槽を回転駆動する脱水軸及び前記パルセータを駆動するパルセータ軸が同軸状に組み合わされて成り前記水槽を水密状態に貫通している複合軸と、モータ巻線を備えた駆動用電気モータとを有している脱水洗濯機において、前記駆動用電気モータの回転子側成形品には、通気孔が形成されるとともに当該通気孔の外側から吸い込んだ空気を前記電磁ソレノイドに向かって送風する羽根が設けられていることを特徴とする脱水洗濯機。
【請求項２】
前記回転子側成形品に形成される前記通気孔には、メッシュ又はフィルタが張設されていることを特徴とする請求項１に記載の脱水洗濯機。
【請求項３】
クラッチ作動用の電磁ソレノイドを有し前記駆動用電気モータの回転駆動力を前記脱水軸と前記パルセータ軸とに選択的に出力するクラッチ機構を更に備えていることを特徴とする請求項１又は２に記載の脱水洗濯機。
【請求項４】
前記脱水槽内の前記洗濯物に温風を供給する乾燥機構を更に備えていることを特徴とする請求項１〜３のいずれか１項に記載の脱水洗濯機。
【請求項５】
前記乾燥機構は、ヒータと、ヒータで生成された前記温風を送風するための送風用ファンと、前記温風を案内供給用するためのダクトと、前記水槽の開口を覆い且つ前記ダクトに接続される温風吹出し孔が形成されている内蓋とを備えており、前記温風吹出し孔は前記内蓋の中央に形成されていることを特徴とする請求項４に記載の脱水洗濯機。
【請求項６】
前記乾燥機構は、ヒータと、ヒータで生成された前記温風を送風するための送風用ファンと、前記温風を案内供給用するためのダクトとを備えており、前記ダクトの吹出し口は上部が開放された前記脱水槽及び前記水槽の上方中央において、下方に向かって開口していることを特徴とする請求項４に記載の脱水洗濯機。
【請求項７】
クラッチ作動用の電磁ソレノイドを有し前記駆動用電気モータの回転駆動力を前記脱水軸と前記パルセータ軸とに選択的に出力するクラッチ機構と、前記脱水槽内の前記洗濯物に温風を供給する乾燥機構とを更に備え、前記駆動ユニットには、前記脱水槽の底部と前記クラッチ機構との間において、前記脱水槽内の前記温風を前記脱水槽の前記底部に形成されている排水口を通じて吸引する吸引用ファンが設けられていることを特徴とする請求項１又は２に記載の脱水洗濯機。
【請求項８】
前記乾燥機構が作動していることに応答して、前記駆動ユニットは前記脱水槽を回転させることを特徴とする請求項７に記載の脱水洗濯機。
【発明の詳細な説明】
【技術分野】
【０００１】
この発明は、洗濯した衣類等を脱水し、更に洗濯した衣類等に温風を吹き付けて乾燥させる乾燥機能付きも可能な脱水洗濯機に関する。
【背景技術】
【０００２】
乾燥機能付きの脱水洗濯機の一例として、ＤＤインバータモータ搭載したものが提案されている（例えば、特許文献１参照）。この乾燥機能付きの脱水洗濯機とそれに用いられる駆動ユニットの一例が図６及び図７に示されている。
【特許文献１】特開２００４−１６６９３８号公報（段落［００３８］〜［００４４］，［００４９］〜［００５２］、図１）
【０００３】
図６に示す乾燥機能付き脱水洗濯機９０は、全自動型のものであり、外側の外箱を形成する外槽２を備えている。外槽２は、直方体形状を呈しており、金属又は合成樹脂により成形され、その上面と底面は開口部となっている。外槽２の上面の開口部を閉鎖状態に覆うため、外槽２の上部には合成樹脂製の上面板３がネジなどの固着手段によって取り付けられている。また、外槽２の底面開口部には、洗濯機の底部を支える合成樹脂製の底台３０が重ねられて、外槽２にネジなどの固着手段によって固定されている。脱水洗濯機９０は、更に、外槽２で囲まれたハウジング内に配設されて洗濯水を受け入れ可能な水槽６、水槽６内において配設されており洗濯物が投入されて洗濯物の洗濯・脱水・乾燥の各工程が行われる脱水槽１２等を備えている。底台３０の四隅には、外槽２を床の上に支えるための脚部２９，２９が設けられている。
【０００４】
上面板３には洗濯物を投入する投入口部４が形成されており、上面板３の背面側には合成樹脂製のバックパネル４０がネジなどの固着手段によって取り付けられている。バックパネル４０内には、後述する乾燥（送風も含む）機構が収容されている。投入口部４は、バックパネル４０にヒンジ連結された上蓋５ａ、及び上蓋５ａの手前側縁部にヒンジ連結された上蓋５ｂによって覆われている。洗濯物の投入時の際には、上蓋５ａ及び上蓋５ｂを折り畳むことで、投入口部４を開くことができる。
【０００５】
外槽２の内部に設けられている外側の水槽６と内側の脱水槽（洗濯槽）１２とは、上面が開口した円筒形のカップの形状を呈しており、各々軸線を垂直にして同心的に配置されている。水槽６は、水槽６の外面下部と外槽２の内面コーナー部とを連結する形で計４箇所に配備されているダンパ（サスペンション部材）７によって外槽２に吊り下げられている。ダンパ７は、水槽６を水平面内で揺動できるように支持している。脱水槽１２は、その周壁の最上部に均等に形成されている複数個の脱水孔６３及び底部の排水口１５を除き、流体を通すための開口部を持たない所謂「穴なし」タイプである。脱水槽１２の上部開口部の縁には、洗濯物の脱水の際に、高速回転時の振動を抑制する働きをする環状のバランサ１１が装着されている。脱水槽１２の内部底面には、槽内で洗濯水又はすすぎ水の流動を生じさせるためのパルセータ１３が配置されている。
【０００６】
水槽６の底部には、水槽６及び脱水槽１２の中の水を外槽６の外に排水する排水ホース６４が取り付けられている。排水ホース６４には、水槽６の底面の中心寄りの箇所に接続されている排水管２１と、水槽６の底面の外周寄りの箇所に接続されている排水管２２から水が流れ込む。水槽６の内部底面には、排水管２１の接続箇所を内側に囲い込むように環状の排水カバー５９が固定されている。排水カバー５９の上部には、環状のシール部材１６が取り付けられている。シール部材１６は、脱水槽１２の底部外面に固定したディスク６５の外周面に接触することにより、水槽６と脱水槽１２との間に独立した排水空間６６を形成している。排水空間６６は、脱水槽１２の底部に形設した排水口１５を介して脱水槽１２の内部に連通している。排水管２１には、強制的な排水を行う排水モータ２０が設けられている。水槽６内の水は、排水口１５と排水管２２の通路を排水モータ２０で開閉して排水される。また、乾燥時には、排水モータ２０で通路を開状態にして水と同様にして、温風、綿ボコリは排水口１５、排水管２２を通じて排水ホース６４に導かれる。
【０００７】
上面板３の手前側には、使用者が操作する操作・表示パネル３ａが設けられており、その操作・表示パネル３ａの裏側には、脱水乾燥洗濯機９０を作動させるための制御回路３７が配設されている。操作・表示パネル３ａを通じて使用者からの操作指令を受けて，図示しない給水弁、後述する駆動機構、排水弁等の洗濯機の各作動部に動作指令を発する。また、制御回路３７は操作・表示パネル３ａに表示指令を発する。
【０００８】
バックパネル４０内には、送風・乾燥機構として、送風モータ３６がファンカバー３９に取り付ける態様で配設されており、ファンカバー３９に隣接してヒータ３３が配設されている。また、バックパネル４０内において、送風モータ３６が駆動する送風用ファン３８に関連して、空気吸込み口４１にはフィルタ４２が配置されており、バックパネル４０に形成されている空気取り入れ口４４と空気吸込み口４１との間は空気通路４３によって接続されている。更に、ヒータ３３はヒータカバー３４によって囲われており、その周囲には洗濯やすすぎ用の水を供給するために給水路３５が配設されている。送風用ファン３８がファンカバー３９内で回転することにより、空気取り入れ口４４から取り入れられ且つファンカバー３９でガイドされた空気がヒータ３３に送り込まれる。ヒータ３３は送風用ファン３８によって送り込まれた空気を加温して温風とし、この温風は、ヒータ３３の出口からダクト６８を通じて内蓋１０においてその周辺に偏った位置に形成された開口６９より脱水槽１２内に排出され、脱水槽１２内の洗濯済みの衣類等を乾燥させる。洗濯物を乾燥させることで水分を得た湿った空気は、排気フィルタ８を通じて排出される。
【０００９】
水槽６の下面には、パルセータ１３及び脱水槽１２を駆動するための駆動ユニット２３Ｄが装着されている。駆動ユニット２３Ｄは、ＤＤインバータモータ２７を含んでいる。ＤＤインバータモータ２７は、マグネットを一体に成形したコア２８ａと、その周囲に環状に設けられているステータ２８ｂとで構成されており、コア２８ａは後述の軸受を介して、またステータ２８ｂは水槽フランジ１９を介して、水槽６の底部に支持或いは取り付けられている。コア２８ａの内部には、脱水と洗濯とのいずれかを選択するためのクラッチ機構２６が設けられている。
【００１０】
図７は、図６に示される脱水乾燥洗濯機を駆動させるための駆動ユニット２３Ｄの分解斜視図である。クラッチ機構２６は、図７に示すように、ソレノイド２６ａ、移動体４５、ロックパット２５、フレーム６２等で構成されており、ソレノイド２６ａに通電することで作動する電磁式のものである。脱水軸５０とパルセータ軸５１とは、外側の脱水軸５０と内側のパルセータ軸５１との二重軸構造となっており、駆動ユニット２３Ｄの中心部から同心状に上向きに突出されて設けられている。脱水軸５０とパルセータ軸５１とは水槽６の中に入り込んだ後、脱水軸５０は脱水槽１２に連結されてこれを支え、パルセータ軸５１は更に脱水槽１２の中に入り込み、パルセータ１３に連結してこれを支えている。脱水軸５０と水槽６の間、及び脱水軸５０とパルセータ軸５１との間には各々水もれを防ぐためのオイルシール１４等が配設されている。
【００１１】
外側に配置された脱水軸５０は、水槽フランジ１９に取り付けられている軸受ホルダ２４に軸受４９を介して回転可能に支持されている。脱水軸５０は、また、脱水槽１２に連結するために脱水槽１２に固定される脱水フランジ５５を有しており、他端はセレーション４８を有している。一方、内側に配置されたパルセータ軸５１は、ＤＤインバータモータ２７のコア２８ａに対してワッシャ５２、ナット５３、ナット５４によって固定されているので、ＤＤインバータモータ２７の駆動によって回転される。ソレノイド２６ａが通電状態にあるときにはクラッチ機構２６がＯＮ状態にあり、移動体４５はスプリング４６にうち勝ち上方に付勢されてセレーション４８のみに嵌合し軸受ホルダ２４に固定しているロックパット２５と移動体４５は固定され脱水槽を固定する。ＤＤインバータモータ２７の駆動によってパルセータ軸５１を回転させるとき、パルセータ１３が回転されて洗濯機は、洗濯工程に入る。ソレノイド２６ａをＯＦＦにすることによって、移動体４５がスプリング４６によって下方に移動しセレーション４７，４８に結合する。したがって、脱水軸５０は、パルセータ軸５１と連結して共に回転し、脱水槽１２は駆動されて脱水工程に入る。なお、脱水軸５０は、軸受ホルダ２４の下方において、フレーム６２を介して水槽フランジ１９に取り付けられている別の軸受４９によって、回転可能に支持されている。フレーム６２は、ロックパット２５を備えている。
【００１２】
上記のような乾燥機能付き脱水洗濯機においては、乾燥機能を働かせると、脱水槽１２内に送風された温風が脱水槽１２から溢れて外槽２内に流れ、駆動ユニット２３Ｄにも到達する。その結果、ＤＤインバータモータ２７のステータ２８ｂやクラッチ機構２６の特に電磁ソレノイド２６ａの巻線温度の上昇が生じ、巻線の電磁的な性能低下の原因になる。同様に、多量の洗濯物を洗濯・脱水する場合もこれら巻線温度が上昇することがある。これらの巻線の温度上昇の対策として、ステータ２８ｂや電磁ソレノイド２６ａを冷却用ファンからの送風によって冷却させることも考えられるが、冷却用ファンを取り付けるためにコストアップとなるとともに、冷却用ファンを設置するスペースが必要となって洗濯機のサイズが大きくなるという懸念もある。更に、上面板３に取り付けられている制御回路３７に湿った温風が入り易く、回路不良の原因も生じ易いという問題がある。
【発明の開示】
【発明が解決しようとする課題】
【００１３】
そこで、脱水洗濯機において、モータのステータやソレノイドに用いられており温度上昇の虞のある巻線を、新たな冷却用ファンに依るのではなく、既存のモータの構造を利用して冷却させる点で解決すべき課題がある。特に、乾燥機能付き脱水洗濯機においては、モータの巻線が乾燥機能作動時に脱水槽に吹き出される温風に起因して温度上昇の虞が高いので、この温風に起因した巻線の温度上昇を合わせて回避する点で解決すべき課題がある。また、駆動用電気モータの回転駆動力を脱水軸とパルセータ軸とに選択的に出力するクラッチ機構を更に備えている場合には、クラッチ機構が有する巻線の温度上昇についても、合わせて回避する点で解決すべき課題がある。
【００１４】
この発明の目的は、外槽内のスペースを増大させることなく、脱水槽の下部に設けられている駆動ユニットに用いられるモータのステータの電磁ソレノイドに使用される巻線が温度上昇するのを防止して、緩い絶縁規格を適用することができる脱水洗濯機を提供することである。また、脱水洗濯機の上面板に取り付けられている制御回路に悪影響を与えることなく、乾燥用に用いられた温風を外槽の外側へと排気することができる脱水洗濯機を提供することである。特に、洗濯物の乾燥用に温風を利用する乾燥機能付きの脱水洗濯機においては、そうした温風に起因して、モータのステータや電磁ソレノイドに使用される巻線が温度上昇するのを防止することができる乾燥機能付き脱水洗濯機を提供することである。更に、駆動用電気モータの回転駆動力を脱水軸とパルセータ軸とに選択的に出力するクラッチ機構を更に備えている場合には、クラッチ機構が有する巻線が温度上昇するのを防止して、緩い絶縁規格を適用することができる脱水洗濯機を提供することである。
【課題を解決するための手段】
【００１５】
上記の課題を解決するため、この発明による脱水洗濯機は、外箱と、当該外箱に支持され且つ内部に収容した洗濯物を洗濯水、すすぎ水とともに攪拌するパルセータが回転可能に設けられた水槽と、当該水槽内に収容されており洗濯物の脱水を行う脱水槽と、水槽の下方に配設されている駆動ユニットとを備えており、駆動ユニットは、脱水槽を回転駆動する脱水軸及びパルセータを駆動するパルセータ軸が同軸状に組み合わされて成り水槽を水密状態に貫通している複合軸と、モータ巻線を備えた駆動用電気モータとを有している脱水洗濯機において、駆動用電気モータの回転子側成形品には、通気孔が形成されるとともに当該通気孔の外側から吸い込んだ空気を電磁ソレノイドに向かって送風する羽根が設けられていることを特徴としている。
【００１６】
この脱水洗濯機によれば、例えばＤＤインバータモータのコアのような駆動用電気モータの既存の回転子側成形品には、通気孔が形成されているとともに羽根が設けられているので、駆動ユニットの駆動に伴って羽根と通気孔とが冷却ファンの働きをする。通気孔の外側から空気を吸い込むことで駆動用電気モータのステータ巻線が空冷される。羽根は、回転子側成形品の補強リブを兼ねるので、回転子側成形品の強度を向上させることができる。
【００１７】
この脱水洗濯機において、回転子側成形品に形成される通気孔にはメッシュ又はフィルタを張設することができる。この種の脱水洗濯機は、通常床置き式とされることが多いため、脱水洗濯機が置かれる床には綿ゴミなどが溜まり易い。そのため、床側から冷却用の空気を吸い上げると、冷却風にゴミも一緒に含まれ易い。そこで、通気孔にメッシュ又はフィルタを張設することで、通気孔を通る冷却風に含まれる綿ゴミ等をメッシュ又はフィルタによって分離することができ、その結果、インバータモータやソレノイドの内部へのゴミの侵入を防止することができる。
【００１８】
この脱水洗濯機において、クラッチ作動用の電磁ソレノイドを有し駆動用電気モータの回転駆動力を脱水軸と前記パルセータ軸とに選択的に出力するクラッチ機構を更に備えることができる。クラッチ作動用の電磁ソレノイドを有するクラッチ機構を備えた場合でも、駆動用電気モータの回転子側成形品に設けられている羽根が通気孔から送風する空気流れによって、クラッチ用の電磁ソレノイドが合わせて空冷される。
【００１９】
この脱水洗濯機において、脱水槽内の洗濯物に温風を供給する乾燥機構を更に備えることができる。脱水洗濯機を、洗濯物の乾燥用に温風を利用する乾燥機能付きの脱水洗濯機とするときには、そうした乾燥用の温風に起因して、モータのステータや電磁ソレノイドに使用される巻線が温度上昇する虞があるが、駆動用電気モータの回転子側成形品に設けられている羽根が通気孔から送風する空気流れによって、巻線の温度上昇を防止することができる
【００２０】
上記の乾燥機能付きの脱水洗濯機において、前記乾燥機構は、ヒータと、ヒータで生成された温風を送風するための送風用ファンと、温風を案内供給用するためのダクトと、水槽の開口を覆い且つ当該ダクトに接続される温風吹出し孔が形成されている内蓋とを備えており、温風吹出し孔を内蓋の中央に形成することができる。脱水済みの洗濯物は脱水槽の内側に張りついていることが一般であり、温風が偏って吹き付けられると、乾燥ムラが生じるなどの乾燥効率が低下する虞がある。そこで、水槽を覆う内蓋の中央に形成されている温風吹出し孔から温風を下方に吹き出すことにより、内蓋の中央部より衣類乾燥用温風を取り入れ且つ中央より脱水槽全体に温風を当てて、洗濯物の乾燥ムラを解消し、乾燥効率向上を図ることができる。脱水槽には、上部に多くの脱水孔が形成されているので、吹き込まれた温風は、脱水孔を通して脱水槽から外に流出する。
【００２１】
上記の乾燥機能付きの脱水洗濯機において、前記乾燥機構は、ヒータと、ヒータで生成された温風を送風するための送風用ファンと、温風を案内供給用するためのダクトとを備えており、当該ダクトの吹出し口を、上部が開放された脱水槽及び水槽の上方中央において、下方に向かって開口させることができる。脱水済みの洗濯物は脱水槽の内側に張りついていることが一般であり、温風が偏って吹き付けられると、乾燥ムラが生じるなどの乾燥効率が低下する虞がある。そこで、上面板中央部より衣類乾燥用温風を取り入れるとともに、内蓋を廃止することで、熱交換率向上に伴う乾燥効率の向上と、使用利便性向上を期待することができる。
【００２２】
上記の脱水洗濯機において、クラッチ作動用の電磁ソレノイドを有し駆動用電気モータの回転駆動力を脱水軸とパルセータ軸とに選択的に出力するクラッチ機構と、脱水槽内の洗濯物に温風を供給する乾燥機構とを更に備え、駆動ユニットには、脱水槽の底部とクラッチ機構との間において、脱水槽内の温風を脱水槽の底部に形成されている排水口を通じて吸引する吸引用ファンを設けることができる。クラッチ機構と乾燥機構とを備える場合、脱水槽内の温風の一部は、吸引用ファンによって、脱水槽の底部に形成されている排水口を通して吸引されて、洗濯機の外に排気される。この際、脱水槽の上部に形成されている脱水孔を通しての温風排気も助長され、脱水槽の外側の温度上昇も一層促進されて、洗濯物の乾燥効率が更に向上する。この際、乾燥用温風は吸引用ファンによって、積極的に排水口を通して排気されるので、モータのステータや電磁ソレノイドに使用される巻線やクラッチ機構に使用されている巻線への乾燥用温風の影響が低減される。
【００２３】
上記の各脱水洗濯機において、乾燥機構が作動していることに応答して、駆動ユニットは脱水槽を回転させることが好ましい。乾燥工程中において、脱水槽を回転駆動することにより、乾燥ムラをなくして洗濯物を均等に効率良く乾燥させることができる。
【発明の効果】
【００２４】
この発明による脱水洗濯機は、上記のように構成されているので、駆動ユニットの駆動に伴って羽根と通気孔とが冷却ファンの働きをし、通気孔の外側から空気を吸い込むことで駆動用電気モータのステータ巻線が空冷される。したがって、ＤＤインバータモータのような電気モータや電磁ソレノイドの巻線の温度上昇が抑えられ、巻線に要する絶縁種類のランクも下げることができ、駆動ユニットについてのコスト低減を図ることができる。更に、羽根は、回転子側成形品の補強リブを兼ねるので、回転子側成形品の強度を向上させることができる。また、クラッチ作動用の電磁ソレノイドを有し駆動用電気モータの回転駆動力を脱水軸とパルセータ軸とに選択的に出力するクラッチ機構を備える場合には、羽根が通気孔から送風する空気流れによってクラッチ用の電磁ソレノイドが合わせて空冷される。
【００２５】
この発明による上記の脱水洗濯機において、脱水槽内の洗濯物に温風を供給する乾燥機構を更に備える場合には、乾燥用の温風に起因して、モータのステータの電磁ソレノイド等に使用される巻線が温度上昇する虞があるが、駆動用電気モータの回転子側成形品に設けられている羽根が通気孔から送風する空気流れによって、巻線の温度上昇を積極的に防止することができ、その結果、ソレノイドには緩い絶縁規格を適用することができる。回転子側成形品に形成した通気孔にメッシュ又はフィルタを張設した場合には、冷却用ファンによる綿ゴミが電気モータの内部やクラッチ機構の電磁ソレノイドの内部への侵入を防止する効果がある。更に、水槽の開口を覆い且つダクトに接続される温風吹出し孔が形成されている内蓋において、温風吹出し孔を当該内蓋の中央に置くことにより、脱水槽内の洗濯物をムラなく乾燥させることができ、乾燥効率を向上させることができる。更に、制御回路と温風出口−排出位置を離れた位置に置くことが可能となり、温風に起因した回路故障を防止することができるという効果もある。更にまた、温風吹出し孔を脱水槽や水槽の上方且つ中央位置に置くことにより、水槽の内蓋を廃止することができるとともに、熱交換率向上に伴う乾燥効率の向上と、使用利便性向上を図ることができる。
【発明を実施するための最良の形態】
【００２６】
以下、添付した図面に基づいて、この発明による脱水洗濯機について、乾燥機能付きの場合を例に取って、その実施の形態を説明する。図１はこの発明による脱水洗濯機について乾燥機能付きの場合の一実施形態において、その全体構成を示す縦断面図であり、図２はそれに用いられる駆動ユニットの分解斜視図である。図１及び図２において、図６及び図７に示す従来の乾燥機能付き脱水洗濯機及びその駆動ユニットと共通する構成要素や部位と同等のものには、同じ符号を付すことにより、再度の説明を省略する。
【００２７】
図１及び図２に示す乾燥機能付き脱水洗濯機１及びその駆動ユニット２３Ａは、図６及び図７に示す従来の乾燥機能付き脱水洗濯機及びその駆動ユニットと比較して、まず、図２に示すように、駆動ユニット２３ＡのＤＤインバータモータ２７（図１）に備わる既存の回転子側成形品としての回転側のコア２８ａには、通気孔５６が形成されているとともに、羽根５７が設けられている。通気孔５６は、図示のように錐面状の部分に周方向に等間隔に配置することができ、羽根５７は各通気孔５６に対応して設けることができる。駆動ユニット２３Ａの駆動に伴ってコア２８ａが回転して通気孔５６と羽根５７とが冷却ファンの働きをする。気流１８ａで示すように、通気孔５６の下方外側から空気を吸い込むことにより、ＤＤインバータモータ２７のステータ２８ｂに形成されている巻線が空冷される。また、冷却ファンが上方に向かって送風する空気流れによって、クラッチ機構２６の電磁ソレノイド２６ａを空冷する。このように、既存のコア２８ａの構造の改良を行ってファンをコア２８ａと一体成形することによって、脱水洗濯機の内部スペースの増大を生じることなく、ステータ２８ｂや電磁ソレノイド２６ａの巻線を空冷することができる。また、羽根２７は、回転子側成形品であるコア２８ａの補強リブを兼ねるので、コア２８ａの強度を向上させることができる。
【００２８】
図１に示す乾燥機能付き脱水洗濯機１においては、バックパネル４０内から水槽６の開口を覆う上蓋１０に渡って、乾燥機構が設けられている。送風用ファン３８はヒータ３３に空気を送り、ヒータ３３で加温されることで乾燥用の温風が生成される。ヒータ３３の出口と内蓋１０の中央部に形成されている温風吹出し孔３１とはダクト３２で接続されており、ダクト３２は温風を内蓋１０の中央部に案内供給する。温風吹出し孔３１の周囲は、ダクト３２の開口部が取り付けられる取付け部となっている。水槽６を覆う内蓋１０の中央に形成されている温風吹出し孔３１から温風を下方に向かって吹き出すことにより、温風は脱水槽１２の全体に渡って均等に吹き当てられる。脱水済みの洗濯物は一般には脱水槽１２の内側に張りついているが、温風が脱水槽１２の内部に均等に吹き付けられるので、洗濯物の乾燥ムラが生じることなく乾燥効率を向上させることができる。脱水槽１２の上部には多くの脱水孔６３が形成されているので、温風が当たって衣類を乾燥させることで生じた湿分を含む気流は上昇して、一部が脱水孔６３を排気孔として通過して脱水槽１２の外に出る。水槽６の上部は、内蓋１０で覆われる外、水槽カバー９で覆われているので、一部が排気フィルタ８を通して水槽６の外に出る以外は、湿分を含む気流の大部分は、水槽６と脱水槽１２の間の隙間から排水ホース６４を通じて排出される。この際、脱水孔６３から排出された温風は水槽６と脱水槽１２の間を通過する際に熱交換され、脱水槽１２を表裏から温め、衣類の乾燥に寄与する。制御回路３７は、排気フィルタ８から遠い位置にあるので、排気される温風に触れることによる温度上昇に起因した故障を防止することができる。温風の経路は、空気流れ１８、１８ａで示されている。
【００２９】
図３は、本発明による脱水洗濯機の別の実施形態を示す図であって、駆動ユニットの変更例を示す斜視図である。図３に図３に示す駆動ユニット２３Ｂでは、コア２８ａに形成されている各通気孔５６には、メッシュ５８が張設されている。この種の脱水洗濯機は床置き式であるため、脱水洗濯機が置かれる床には綿ゴミなどが溜まり易い。そのため、通気孔５６と羽根５７とから構成される冷却ファンによって床側から冷却用の空気を吸い上げると、冷却風にはゴミも含まれ易くなる。そこで、各通気孔５６にメッシュ５８を張設することで、通気孔５６を通る冷却風に含まれる綿ゴミ等をメッシュ５８で捕捉して冷却風から分離することができる。その結果、ＤＤインバータモータ２７やクラッチ機構２６の内部へのゴミの侵入を防止することができる。綿ゴミ等の異物の捕捉機能を高めるには、メッシュ５８に代えてより高機能のフィルタを張設することができる。
【００３０】
図４及び図５は、この発明による脱水洗濯機の更に別の実施形態を示す図であり、図４はその全体を示す縦断面概略図、図５はその駆動ユニットを示す分解斜視図である。図４に示す脱水洗濯機は乾燥機能付きの脱水洗濯機であり、図１に示された実施形態で用いられている水槽６用の内蓋１０を無くし、乾燥効率の向上を図るとともにコストを吸収して使用性も向上させた実施の形態である。この実施形態では、ヒータ３３の出口に接続されており温風を案内供給用するためのダクト３２ａは、吹出し口３２ｂが脱水槽１２及び水槽６の上方中央において下方に向かって開口されている。図１に示す実施形態と同様に、脱水孔６３から排出された温風は水槽６と脱水槽１２の間を通過する際に熱交換され、脱水槽１２を表裏から温めて衣類の乾燥に寄与するので、図１に示す実施形態では備わっていた内蓋１０や排気フィルタ８を廃止することも可能である。即ち、水槽６には、図１の実施形態で示されている内蓋１０を備えておらず、脱水槽１２とともに上部が開放されているので、吹出し口３２ｂからの温風は脱水槽１２内に中央に吹き出されて脱水槽１２内において内側に張り付いている洗濯・脱水済みの衣類を乾燥ムラなく均等に乾燥させる。したがって、熱交換率の向上に伴う乾燥効率の向上を図ることができる。この実施形態では、水槽６について内蓋が廃止されているので、脱水洗濯機構造の簡単化とコスト軽減を図ることができ、使用利便性の向上も期待することができる。
【００３１】
図４に示されている乾燥機能付きの脱水洗濯機８０において、図５により詳細に示すように、駆動ユニット２３Ｃには、クラッチ機構２６の上方の位置に吸引用ファン６０が設けられている。具体的には、吸引用ファン６０は、脱水軸５０やパルセータ軸５１から成る複合軸の軸方向において、水槽６に取り付けられる軸受ホルダ２４の上方において外側の脱水軸５０に取り付けられており、且つ排水カバー５９内に設置されている。吸引用ファン６０は、乾燥工程時、脱水軸５０や脱水槽１２の回転と同期して回転する。吸引用ファン６０を駆動すると、脱水槽１２内の温風の一部は、脱水槽１２の底部に形成されている排水口１５を通して吸引されて、排水管２１を通じて排水ホース６４に排気される。この際、排水管２２には負圧となって脱水槽１２の上部に形成されている脱水孔６３を通しての温風排気も助長される。脱水槽１２の外側の温度上昇も一層促進され、洗濯物の乾燥効率が更に向上する。
【００３２】
乾燥機能付きの脱水洗濯機において、乾燥機構の作動中に駆動ユニット２３は脱水軸５０を駆動して脱水槽１２を回転させることができる。ダクト３２，３２ａを通じて吹き出された温風は、脱水槽１２の中央部を下方に流れ、且つ脱水槽１２の回転によって遠心方向の負圧域に流れ、洗濯物を乾燥させつつ排水孔６３より湿った温風となって排出される。乾燥工程中に脱水槽１２を回転させることにより、脱水槽１２の内側に張り付いた洗濯物全体に均等に温風を当てて、洗濯物を乾燥ムラなく均等に効率良く乾燥させることができるとともに、脱水孔６３を通って排気される排出量を増大させることにより、制御回路３７への温風や糸屑等の流出を減少させることができる。乾燥工程時に脱水槽１２を回転させると、洗濯物の攪拌により綿ゴミが発生するが、脱水槽１２の下方では排水口１５から、また脱水槽１２の上部では排水孔６３を排気孔として排出され、最終的には排水ホース６４の先端に設けられた排水フィルタ６１で捕獲される。なお、乾燥中は、パルセータ１３と脱水槽１２の回転（低速）は、間欠運転とされ、乾燥効率を向上させている。
【図面の簡単な説明】
【００３３】
【図１】この発明による脱水洗濯機の一実施形態を示す縦断面図である。
【図２】図１に示す脱水洗濯機に用いられる駆動ユニットの一例を示す分解斜視図である。
【図３】この発明による脱水洗濯機に用いられる駆動ユニットの別例を示す分解斜視図である。
【図４】この発明による脱水洗濯機の別の実施形態を示す縦断面図である。
【図５】図４に示す脱水洗濯機に用いられる駆動ユニットの一例を示す分解斜視図である。
【図６】従来の乾燥機能を備えた脱水洗濯機の一例を示す縦断面図である。
【図７】図６に示す脱水洗濯機に用いられる駆動ユニットの一例を示す分解斜視図である。
【符号の説明】
【００３４】
１，８０  脱水洗濯機                  ２  外槽
３  上面板                            ３ａ  操作・表示パネル
４  投入口部                          ５ａ，５ｂ  上蓋
６  水槽                              ７  ダンパ（サスペンション部材）
８  排気フィルタ                      ９  水槽カバー
１０  内蓋                            １１  バランサ
１２  脱水槽                          １３  パルセータ
１４  オイルシール                    １５  排水口
１６  シール部材
１８  気流                            １８ａ  気流
１９  水槽フランジ                    ２０  排水モータ
２１  排水管                          ２２  排水管
２３Ａ〜２３Ｄ  駆動ユニット
２４  軸受ホルダ                      ２５  ロックパット
２６  クラッチ機構                    ２６ａ  ソレノイド
２７  ＤＤインバータモータ
２８ａ  コア                          ２８ｂ  ステータ
２９  脚部                            ３０  底台
３１  温風吹出し孔                    ３２  ダクト
３２ａ  ダクト                        ３２ｂ  吹出し口
３３  ヒータ                          ３４  ヒータカバー
３５  給水路                          ３６  送風モータ
３７  制御回路                        ３８  送風用ファン
３９  ファンカバー                    ４０  バックパネル
４１  空気吸込み口                    ４２  フィルタ
４３  空気通路                        ４４  空気取り入れ口
４５  移動体                          ４６  スプリング
４７  セレーション                    ４８  セレーション
５６  通気孔                          ５７  羽根
４９  軸受
５０  脱水軸                          ５１  パルセータ軸
５２  ワッシャ                        ５３，５４  ナット
５５  脱水フランジ                    ５６  通気孔
５７  羽根                            ５８メッシュ
５９  排水カバー
６０  吸引用ファン                    ６１  排水フィルタ
６２  フレーム                        ６３  脱水孔
６４  排水ホース                      ６５  ディスク
６６  排水空間
６８  ダクト                          ６９  開口
９０  脱水乾燥洗濯機
【図１】
2007105233.tif 000003
【図２】
2007105233.tif 000004
【図３】
2007105233.tif 000005
【図４】
2007105233.tif 000006
【図５】
2007105233.tif 000007
【図６】
2007105233.tif 000008
【図７】
2007105233.tif 000009